(57)【特許請求の範囲】
【請求項１】
本情報処理装置において実行可能な処理に関する指示が対応付けられた複数の第１の操作キーが配置された第１の操作用画像を表示する表示部と、
前記表示部の前面に配置されるタッチパネルと、
前記タッチパネルに対するタッチ操作に基づき、本情報処理装置が実行可能な処理に関する指示を受け付ける受付部と、
前記第１の操作キーと組み合わされて操作される第２の操作キーが配置された第２の操作用画像を表示するタッチ操作を受け付け可能な携帯端末装置との間で通信可能な通信部と、
前記通信部による通信動作を制御する通信制御部と、を備え、
前記通信制御部は、前記通信部に、前記携帯端末装置に対するタッチ操作により前記携帯端末装置に表示された前記第２の操作キーが選択されたタイミングで前記携帯端末装置から送信される前記第２の操作キーが選択されたことを示す操作情報を前記携帯端末装置から受信させ、
前記受付部は、前記携帯端末装置から前記第２の操作キーが選択されたことを示す操作情報が送信されておらず前記通信部が前記操作情報を受信していない間において前記タッチパネルに対するタッチ操作により前記第１の操作キーが選択された場合に、当該選択された第１の操作キーに対応する指示を受け付け、前記携帯端末装置から前記第２の操作キーが選択されたことを示す操作情報が送信されており前記通信部が前記操作情報を受信している間において前記タッチパネルに対するタッチ操作により前記第１の操作キーが選択された場合に、当該選択された第１の操作キーおよび前記操作情報に示される前記第２の操作キーの組み合わせに対応する指示を受け付ける、情報処理装置。
【請求項２】
前記通信制御部は、前記通信部に、前記第１の操作キーと組み合わされて操作される第２の操作キーの一覧を示す操作キー情報を前記携帯端末装置へ送信させる、請求項１に記載の情報処理装置。
【請求項３】
前記表示部は、前記タッチパネルに対するタッチ操作に基づき、複数の第１の操作用画像のなかから１つの操作用画像を表示し、
前記通信制御部は、前記通信部に、前記表示部が表示している前記１つの操作用画像に配置された前記第１の操作キーと組み合わされて操作される第２の操作キーの一覧を示す操作キー情報を前記携帯端末装置へ送信させる、請求項２に記載の情報処理装置。
【請求項４】
前記携帯端末装置から送信される認証要求に基づき、前記携帯端末装置を認証する認証部を更に備え、
前記受付部は、前記認証部により前記携帯端末装置が認証された場合に、当該認証された携帯端末装置から送信された前記操作情報を受け付け可能な状態になる、請求項１乃至請求項３の何れか１項に記載の情報処理装置。
【請求項５】
前記第１の操作キーは、少なくとも文字入力に用いられる文字入力キーを含み、
前記第２の操作キーは、シフトキー、オルトキー、半角／全角キー、コントロールキー、及びファンクションキーのうちの少なくとも１つを含み、
前記受付部は、前記携帯端末装置から前記第２の操作キーが選択されたことを示す操作情報が送信されておらず前記通信部が当該操作情報を受信していない間において前記タッチパネルに対するタッチ操作により前記文字入力キーが選択された場合に、当該選択された文字入力キーに示された文字を入力する指示を受け付け、前記携帯端末装置から前記第２の操作キーが選択されたことを示す操作情報が送信されており前記通信部が当該操作情報を受信している間において前記タッチパネルに対するタッチ操作により前記文字入力キーが選択された場合に、当該選択された文字入力キーに示された文字および当該操作情報に示される前記第２の操作キーの組み合わせに対応する指示を受け付ける、請求項１に記載の情報処理装置。
【請求項６】
情報処理装置において実行可能な処理に関する指示を受け付けるための複数の第１の操作キーが配置された第１の操作用画像を表示するタッチ操作を受け付け可能な情報処理装置との間で通信可能な通信部と、
前記通信部による通信動作を制御する通信制御部と、
前記情報処理装置に表示された前記第１の操作キーと組み合わされて操作される第２の操作キーが配置された第２の操作用画像を表示する表示部と、
前記表示部による表示動作を制御する表示制御部と、
前記表示部の前面に配置されるタッチパネルと、
前記タッチパネルに対するタッチ操作に基づき、前記第２の操作キーの選択を受け付ける受付部と、を備え、
前記通信制御部は、前記受付部が前記第２の操作キーの選択を受け付けたタイミングで、前記通信部に、前記第２の操作キーが選択されたことを示す操作情報を前記情報処理装置へ送信させる、携帯端末装置。
【請求項７】
前記通信制御部は、前記通信部に、前記第１の操作キーと組み合わされて操作される第２の操作キーの一覧を示す操作キー情報を前記情報処理装置から受信させ、
前記表示制御部は、前記表示部に、前記通信部が受信した前記操作キー情報に示される第２の操作キーが配置された前記第２の操作用画像を表示させる、請求項６に記載の携帯端末装置。
【請求項８】
前記受付部は、前記第２の操作用画像における前記第２の操作キーの配置位置を変更する指示を受け付け、
前記表示制御部は、前記受付部が受け付けた配置位置の変更指示に基づき、前記第２の操作キーの配置位置が変更された第２の操作用画像を前記表示部に表示させる、請求項６に記載の携帯端末装置。
【請求項９】
前記通信制御部は、前記通信部に、前記携帯端末装置に対する認証要求を前記情報処理装置へ送信させ、
前記受付部は、前記情報処理装置から本携帯端末装置の認証が受け付けられた場合に、前記第２の操作キーの選択を受け付け可能な状態になる、請求項６乃至請求項８の何れか１項に記載の携帯端末装置。
【請求項１０】
情報処理装置と携帯端末装置とを備え、
前記情報処理装置は、
前記情報処理装置において実行可能な処理に関する指示が対応付けられた複数の第１の操作キーが配置された第１の操作用画像を表示する第１の表示部と、
前記第１の表示部の前面に配置される第１のタッチパネルと、
前記第１のタッチパネルに対するタッチ操作に基づき、本情報処理装置が実行可能な処理に関する指示を受け付ける第１の受付部と、
前記第１の操作キーと組み合わされて操作される第２の操作キーが配置された第２の操作用画像を表示するタッチ操作を受け付け可能な前記携帯端末装置との間で通信可能な第１の通信部と、
前記第１の通信部による通信動作を制御する第１の通信制御部と、を備え、
前記第１の通信制御部は、前記第１の通信部に、前記携帯端末装置に対するタッチ操作により前記携帯端末装置に表示された前記第２の操作キーが選択されたタイミングで前記携帯端末装置から送信される前記第２の操作キーが選択されたことを示す操作情報を前記携帯端末装置から受信させ、
前記第１の受付部は、前記携帯端末装置から前記第２の操作キーが選択されたことを示す操作情報が送信されておらず前記第１の通信部が前記操作情報を受信していない間において前記第１のタッチパネルに対するタッチ操作により前記第１の操作キーが選択された場合に、当該選択された第１の操作キーに対応する指示を受け付け、前記携帯端末装置から前記第２の操作キーが選択されたことを示す操作情報が送信されており前記第１の通信部が前記操作情報を受信している間において前記第１のタッチパネルに対するタッチ操作により前記第１の操作キーが選択された場合に、当該選択された第１の操作キーおよび前記操作情報に示される前記第２の操作キーの組み合わせに対応する指示を受け付け、
前記携帯端末装置は、
前記情報処理装置との間で通信可能な第２の通信部と、
前記第２の通信部による通信動作を制御する第２の通信制御部と、
前記第２の操作用画像を表示する第２の表示部と、
前記第２の表示部による表示動作を制御する表示制御部と、
前記第２の表示部の前面に配置される第２のタッチパネルと、
前記第２のタッチパネルに対するタッチ操作に基づき、前記第２の操作キーの選択を受け付ける第２の受付部と、を備え、
前記第２の通信制御部は、前記第２の受付部が前記第２の操作キーの選択を受け付けたタイミングで、前記第２の通信部に、前記第２の操作キーが選択されたことを示す操作情報を前記情報処理装置へ送信させる、情報処理システム。
【請求項１１】
コンピューターを、
本情報処理装置において実行可能な処理に関する指示が対応付けられた複数の第１の操作キーが配置された第１の操作用画像を表示する表示部の前面に配置されるタッチパネルに対するタッチ操作に基づき、情報処理装置が実行可能な処理に関する指示を受け付ける受付部と、
前記第１の操作キーと組み合わされて操作される第２の操作キーが配置された第２の操作用画像を表示するタッチ操作を受け付け可能な携帯端末装置との間で通信可能な通信部による通信動作を制御する通信制御部として機能させ、更に、
前記通信制御部が、前記通信部に、前記携帯端末装置に対するタッチ操作により前記携帯端末装置に表示された前記第２の操作キーが選択されたタイミングで前記携帯端末装置から送信される前記第２の操作キーが選択されたことを示す操作情報を前記携帯端末装置から受信させ、
前記受付部が、前記携帯端末装置から前記第２の操作キーが選択されたことを示す操作情報が送信されておらず前記通信部が前記操作情報を受信していない間において前記タッチパネルに対するタッチ操作により前記第１の操作キーが選択された場合に、当該選択された第１の操作キーに対応する指示を受け付け、前記携帯端末装置から前記第２の操作キーが選択されたことを示す操作情報が送信されており前記通信部が前記操作情報を受信している間において前記タッチパネルに対するタッチ操作により前記第１の操作キーが選択された場合に、当該選択された第１の操作キーおよび前記操作情報に示される前記第２の操作キーの組み合わせに対応する指示を受け付けるようにコンピューターを機能させる、情報処理装置制御プログラム。
【請求項１２】
コンピューターを、
情報処理装置において実行可能な処理に関する指示を受け付けるための複数の第１の操作キーが配置された第１の操作用画像を表示するタッチ操作を受け付け可能な情報処理装置との間で通信可能な通信部による通信動作を制御する通信制御部と、
前記情報処理装置に表示された前記第１の操作キーと組み合わされて操作される第２の操作キーが配置された第２の操作用画像を表示する表示部による表示動作を制御する表示制御部と、
前記表示部の前面に配置されるタッチパネルに対するタッチ操作に基づき、前記第２の操作キーの選択を受け付ける受付部として機能させ、更に
前記通信制御部が、前記受付部が前記第２の操作キーの選択を受け付けたタイミングで、前記通信部に、前記第２の操作キーが選択されたことを示す操作情報を前記情報処理装置へ送信させるようにコンピューターを機能させる、携帯端末装置制御プログラム。
【発明の詳細な説明】
【技術分野】
【０００１】
本発明は、情報処理装置、携帯端末装置、情報処理システム、情報処理装置制御プログラム、および携帯端末装置制御プログラムに関し、特に、情報処理装置において実行可能な処理に関する指示を受け付ける技術に関する。
【背景技術】
【０００２】
画像形成装置等の情報処理装置は、ユーザーによる操作の用に供する操作用画像を表示する表示部を備えている。当該表示部の前面にはタッチパネルが配置されており、ユーザーは、当該タッチパネルに対してタッチ操作を行うことで、操作用画像に配置された文字入力キー等の操作キー（主操作キー）を選択して、情報処理装置に対して様々な指示を入力している。
【０００３】
操作用画像に配置される操作キーには、文字入力キー等の主操作キー以外に、シフトキーやコントロールキー等の他の操作キーと組み合わされて操作される操作キー（副操作キー）がある。特許文献１には、主操作キーと副操作キーとを別の操作用画像に配置しておき、操作用画像に対するスライド操作を受け付けた場合に、主操作キーが配置された操作用画像から副操作キーが配置された操作用画像へ表示を切り替える技術が開示されている。主操作キーと副操作キーとを別の操作用画像に配置することで、主操作キーおよび副操作キーを大きく表示することができるので、主操作キーおよび副操作キーの視認性や操作性が向上する。また、主操作キーおよび副操作キーの大きさを確保しつつ、情報処理装置の表示部を小型化することが可能となるため、情報処理装置の製造コストを抑えることができる。
【先行技術文献】
【特許文献】
【０００４】
【特許文献１】特表２０１３−５２６１７１号公報
【発明の概要】
【発明が解決しようとする課題】
【０００５】
上記の技術では、副操作キーを操作する場合に、操作用画像に対してスライド操作を行って別の操作用画像を表示させる必要がある。この操作方法は、副操作キーを押下しながら主操作キーを押下することで主操作キーと副操作キーとの組み合わせに対応する指示を入力する一般的な操作方法とは大きく異なるものであり、ユーザーにとって違和感のある操作性になっている。
【０００６】
また、主操作キーと副操作キーとを同じ操作用画像に配置した場合には、主操作キーの選択と副操作キーの選択とを同時に検出する必要があるため、表示部の前面に配置するタッチパネルをマルチタッチ検出可能なタッチパネルにする必要がある。マルチタッチ検出可能なタッチパネルは、シングルタッチのみを検出可能なタッチパネルと比較して製造コストが高く、その結果、情報処理装置の製造コストが高くなる。
【０００７】
本発明は、上記の事情に鑑みなされたものであり、シングルタッチのみを検出可能なタッチパネルであっても、主操作キーと副操作キーとの組み合わせに対応する指示を受け付け可能とし、かつ、主操作キーおよび副操作キーを大きく表示することを可能としながらも、一般的な操作方法と比べて操作性に違和感を与えにくいことを目的とする。
【課題を解決するための手段】
【０００８】
本発明の一局面にかかる情報処理装置は、本情報処理装置において実行可能な処理に関する指示が対応付けられた複数の第１の操作キーが配置された第１の操作用画像を表示する表示部と、前記表示部の前面に配置されるタッチパネルと、前記タッチパネルに対するタッチ操作に基づき、本情報処理装置が実行可能な処理に関する指示を受け付ける受付部と、前記第１の操作キーと組み合わされて操作される第２の操作キーが配置された第２の操作用画像を表示するタッチ操作を受け付け可能な携帯端末装置との間で通信可能な通信部と、前記通信部による通信動作を制御する通信制御部と、を備え、前記通信制御部は、前記通信部に、前記携帯端末装置に対するタッチ操作により前記携帯端末装置に表示された前記第２の操作キーが選択されたタイミングで前記携帯端末装置から送信される前記第２の操作キーが選択されたことを示す操作情報を前記携帯端末装置から受信させ、前記受付部は、前記携帯端末装置から前記第２の操作キーが選択されたことを示す操作情報が送信されておらず前記通信部が前記操作情報を受信していない間において前記タッチパネルに対するタッチ操作により前記第１の操作キーが選択された場合に、当該選択された第１の操作キーに対応する指示を受け付け、前記携帯端末装置から前記第２の操作キーが選択されたことを示す操作情報が送信されており前記通信部が前記操作情報を受信している間において前記タッチパネルに対するタッチ操作により前記第１の操作キーが選択された場合に、当該選択された第１の操作キーおよび前記操作情報に示される前記第２の操作キーの組み合わせに対応する指示を受け付ける、情報処理装置である。
【０００９】
また、本発明の別の一局面にかかる携帯端末装置は、情報処理装置において実行可能な処理に関する指示を受け付けるための複数の第１の操作キーが配置された第１の操作用画像を表示するタッチ操作を受け付け可能な情報処理装置との間で通信可能な通信部と、前記通信部による通信動作を制御する通信制御部と、前記情報処理装置に表示された前記第１の操作キーと組み合わされて操作される第２の操作キーが配置された第２の操作用画像を表示する表示部と、前記表示部による表示動作を制御する表示制御部と、前記表示部の前面に配置されるタッチパネルと、前記タッチパネルに対するタッチ操作に基づき、前記第２の操作キーの選択を受け付ける受付部と、を備え、前記通信制御部は、前記受付部が前記第２の操作キーの選択を受け付けたタイミングで、前記通信部に、前記第２の操作キーが選択されたことを示す操作情報を前記情報処理装置へ送信させる、携帯端末装置である。
【００１０】
また、本発明の別の一局面にかかる情報処理システムは、上記の情報処理装置と携帯端末装置とを備える情報処理システムである。
【００１１】
また、本発明の別の一局面にかかる情報処理装置制御プログラムは、コンピューターを、本情報処理装置において実行可能な処理に関する指示が対応付けられた複数の第１の操作キーが配置された第１の操作用画像を表示する表示部の前面に配置されるタッチパネルに対するタッチ操作に基づき、情報処理装置が実行可能な処理に関する指示を受け付ける受付部と、前記第１の操作キーと組み合わされて操作される第２の操作キーが配置された第２の操作用画像を表示するタッチ操作を受け付け可能な携帯端末装置との間で通信可能な通信部による通信動作を制御する通信制御部として機能させ、更に、前記通信制御部が、前記通信部に、前記携帯端末装置に対するタッチ操作により前記携帯端末装置に表示された前記第２の操作キーが選択されたタイミングで前記携帯端末装置から送信される前記第２の操作キーが選択されたことを示す操作情報を前記携帯端末装置から受信させ、前記受付部が、前記携帯端末装置から前記第２の操作キーが選択されたことを示す操作情報が送信されておらず前記通信部が前記操作情報を受信していない間において前記タッチパネルに対するタッチ操作により前記第１の操作キーが選択された場合に、当該選択された第１の操作キーに対応する指示を受け付け、前記携帯端末装置から前記第２の操作キーが選択されたことを示す操作情報が送信されており前記通信部が前記操作情報を受信している間において前記タッチパネルに対するタッチ操作により前記第１の操作キーが選択された場合に、当該選択された第１の操作キーおよび前記操作情報に示される前記第２の操作キーの組み合わせに対応する指示を受け付けるようにコンピューターを機能させる、情報処理装置制御プログラムである。
【００１２】
また、本発明の別の一局面にかかる携帯端末装置制御プログラムは、コンピューターを、情報処理装置において実行可能な処理に関する指示を受け付けるための複数の第１の操作キーが配置された第１の操作用画像を表示するタッチ操作を受け付け可能な情報処理装置との間で通信可能な通信部による通信動作を制御する通信制御部と、前記情報処理装置に表示された前記第１の操作キーと組み合わされて操作される第２の操作キーが配置された第２の操作用画像を表示する表示部による表示動作を制御する表示制御部と、前記表示部の前面に配置されるタッチパネルに対するタッチ操作に基づき、前記第２の操作キーの選択を受け付ける受付部として機能させ、更に前記通信制御部が、前記受付部が前記第２の操作キーの選択を受け付けたタイミングで、前記通信部に、前記第２の操作キーが選択されたことを示す操作情報を前記情報処理装置へ送信させるようにコンピューターを機能させる、携帯端末装置制御プログラムである。
【発明の効果】
【００１３】
上記の本発明によれば、シングルタッチのみを検出可能なタッチパネルであっても、主操作キーと副操作キーとの組み合わせに対応する指示を受け付け可能とし、かつ、主操作キーおよび副操作キーを大きく表示することを可能としながらも、一般的な操作方法と比べて操作性に違和感を与えにくい。
【図面の簡単な説明】
【００１４】
【図１】本発明の一実施形態にかかる情報処理システムの構成を示す斜視図である。
【図２】本発明の一実施形態にかかる情報処理システムの内部構成を示すブロック図である。
【図３】（Ａ）および（Ｂ）は、本発明の一実施形態にかかる画像形成装置の表示部に表示される主操作用画像の一例を示す図である。
【図４】（Ａ）および（Ｂ）は、本発明の一実施形態にかかる携帯端末装置の表示部に表示される副操作用画像の一例を示す図である。
【図５】本発明の一実施形態にかかる携帯端末装置の表示部に表示される設定画面の一例を示す図である。
【図６】（Ａ）および（Ｂ）は、本発明の一実施形態にかかる画像形成装置および携帯端末装置に対するタッチ操作により画像形成装置の表示部に表示される主操作用画像の一例を示す図である。
【図７】本発明の一実施形態にかかる画像形成装置および携帯端末装置の動作の流れを示すフローチャートである。
【発明を実施するための形態】
【００１５】
以下、本発明の一実施形態にかかる情報処理装置、携帯端末装置、情報処理システム、情報処理装置制御プログラム、および携帯端末装置制御プログラムについて図面を参照して説明する。図１は、本発明の一実施形態にかかる情報処理システムの構成を示す斜視図である。図２は、本発明の一実施形態にかかる情報処理システムの内部構成を示すブロック図である。
【００１６】
情報処理システム１は、情報処理装置の一例としての画像形成装置１０と、画像形成装置１０と通信可能な携帯端末装置２０とを備えている。まず、画像形成装置１０の構成について説明する。
【００１７】
画像形成装置１０は、例えば、コピー機能、プリンター機能、スキャナー機能、及びファクシミリ機能等の複数の機能を兼ね備えた複合機である。画像形成装置１０は、装置本体１１と、装置本体１１の上方に配置された画像読取部１１０と、画像読取部１１０と装置本体１１との間に設けられた連結部１２とから概略構成される。
【００１８】
装置本体１１は、画像形成部１２０や給紙部１３等を備えて構成されている。
【００１９】
画像形成装置１０が画像形成動作を行う場合は、画像読取部１１０により読み取られた画像等に基づいて、画像形成部１２０が、給紙部１３から給紙される記録紙にトナー像を形成する。その後、記録紙上に形成されたトナー像は、不図示の定着部により熱定着される。定着処理の完了した画像形成済みの記録紙は、排出トレイ１４に排出される。
【００２０】
画像形成装置１０の外郭を構成する筐体の前面には、表示部１３０および操作部１５０が配置されている。表示部１３０は、液晶ディスプレイ（ＬＣＤ：Liquid Crystal Display）や有機ＥＬ（ＯＬＥＤ：Organic Light-Emitting Diode）ディスプレイを含んで構成される。表示部１３０は後述する表示制御部１０２による制御のもと、ソフトキーとして複数の主操作キー（第１の操作キー）が配置された主操作用画像（第１の操作用画像）等を表示する。
【００２１】
表示部１３０の前面には、タッチパネル１４０が配置されている。タッチパネル１４０は、所謂抵抗膜方式や静電容量方式等のタッチパネルであって、タッチパネル１４０上におけるユーザーによる接触（タッチ）をその接触位置とともに検知する。タッチパネル１４０は、ユーザーによる接触を検知すると、その接触点の座標位置を示す信号を後述する受付部１０３等に出力する。
【００２２】
操作部１５０は、例えば、メニューを呼び出すメニューキー、メニューを構成するＧＵＩのフォーカスを移動させる矢印キー、メニューを構成するＧＵＩに対して確定操作を行う決定キー等を備えるハードキーである。
【００２３】
記憶部１６０は、ＨＤＤ（Hard Disk Drive）等の大容量の記憶装置である。
【００２４】
通信部１７０は、無線ＬＡＮボード等の通信モジュールから構成されるネットワークインターフェイスである。
【００２５】
画像形成装置１０は、更に、制御ユニット１００を備えている。制御ユニット１００は、ＣＰＵ（Central Processing Unit）、ＲＡＭ(Random Access Memory）、及びＲＯＭ（Read Only Memory）等から構成される。制御ユニット１００は、上記のＲＯＭ又は記憶部１６０に記憶された情報処理装置制御プログラムが上記のＣＰＵに実行されることにより、制御部１０１、表示制御部１０２、受付部１０３、通信制御部１０４、および認証部１０５として機能する。なお、制御ユニット１００の制御部１０１、表示制御部１０２、受付部１０３、通信制御部１０４、および認証部１０５は、情報処理装置制御プログラムに基づく動作によらず、それぞれハード回路により構成されてもよい。
【００２６】
制御部１０１は、画像形成装置１０の全体的な動作制御を司る。制御部１０１は、画像読取部１１０、画像形成部１２０、表示部１３０、タッチパネル１４０、操作部１５０、記憶部１６０、および通信部１７０等と接続されている。制御部１０１は、接続されている上記各機構の動作制御や、各機構との間での信号又はデータの送受信を行う。
【００２７】
表示制御部１０２は、表示部１３０による表示動作を制御する機能を有する。
【００２８】
受付部１０３は、タッチパネル１４０に対するタッチ操作に基づき、表示部１３０に表示された主操作用画像に配置された主操作キーの選択を受け付ける機能を有する。そして、受付部１０３は、当該選択された主操作キーに対応する文字入力指示や画像形成実行指示等の画像形成装置１０が実行可能な処理に関する指示を受け付ける。また、詳細は後述するが、受付部１０３は、画像形成装置１０のタッチパネル１４０に対するタッチ操作に加えて、携帯端末装置２０のタッチパネル２２０に対するタッチ操作に基づき、画像形成装置１０が実行可能な処理に関する指示を受け付ける機能も有している。
【００２９】
通信制御部１０４は、通信部１７０を制御して、携帯端末装置２０等とデータの送受信を行う機能を有する。
【００３０】
認証部１０５は、携帯端末装置２０から送信された認証要求に基づき、携帯端末装置２０から送信される操作情報を受付部１０３が受け付けることを認証するか否かを決定する機能を有する。操作情報の詳細な内容については後述する。
【００３１】
続いて、表示部１３０に表示される主操作用画像について説明する。図３（Ａ）および図３（Ｂ）は、表示部１３０に表示される主操作用画像の一例を示す図である。図３（Ａ）に示す主操作用画像Ｄ１は、文字入力を受け付けるための操作用画像であって、文字入力キーｄ１、ｄ２、ｄ３や文字表示欄ｄ４等が配置されている。文字入力キーｄ１、ｄ２、ｄ３は、それぞれ、「ｑ」、「ａ」、「ｚ」といった小文字のアルファベット文字を入力する指示に対応付けられている。文字表示欄ｄ４には、文字入力キーｄ１、ｄ２、ｄ３等が選択されて入力された文字が表示される。
【００３２】
図３（Ｂ）に示す主操作用画像Ｄ２は、画像形成や画像読取に関する指示に対応付けられた複数の指示キーが配置されている。例えば、主操作用画像Ｄ２には、指示キーとして、画像形成対象の記録紙を選択する指示に対応付けられた用紙選択キーｄ５やコピー濃度を選択する指示に対応付けられたコピー濃度キーｄ６等が設けられている。
【００３３】
図３（Ａ）および図３（Ｂ）に示すように、表示部１３０による表示対象の主操作用画像は複数存在する。当該複数の主操作用画像のうち、受付部１０３が受け付けた指示に対応する主操作用画像が表示部１３０に表示される。例えば、受付部１０３が文字入力指示を受け付けた場合には、表示制御部１０２による制御のもと図３（Ａ）に示す主操作用画像Ｄ１が表示部１３０に表示される。また、受付部１０３が画像形成に関する設定入力指示を受け付けた場合には、表示制御部１０２による制御のもと図３（Ｂ）に示す主操作用画像Ｄ２が表示部１３０に表示される。
【００３４】
上記の主操作用画像Ｄ１および主操作用画像Ｄ２に配置された文字入力キーｄ１、ｄ２、ｄ３や指示キーｄ５、ｄ６は、画像形成装置１０が実行可能な処理に関する指示が対応付けられた主操作キーに相当する。受付部１０３は、タッチパネル１４０に対するタッチ操作に基づき主操作キーの選択を受け付け、当該選択された主操作キーに対応する文字入力指示や画像形成実行指示等の指示を受け付ける。
【００３５】
続いて、携帯端末装置２０の構成について説明する。携帯端末装置２０は、スマートフォン等の携帯モバイル機器であって、制御ユニット２００、表示部２１０、タッチパネル２２０、記憶部２３０、および通信部２４０等を備えている。
【００３６】
表示部２１０は、液晶ディスプレイや有機ＥＬディスプレイ等から構成される。表示部２１０は後述する表示制御部２０２による制御のもと、ソフトキーとして複数の副操作キー（第２の操作キー）が配置された副操作用画像（第２の操作用画像）等を表示する。ここで副操作キーとは、シフトキーやコントロールキー等の画像形成装置１０の表示部１３０に表示される主操作キーと組み合わされて操作される操作キーである。後述する表示制御部２０２は、画像形成装置１０から送信された副操作キーの一覧を示す操作キー情報に示される副操作キーが配置された副操作画像を表示部２１０に表示させる。
【００３７】
タッチパネル２２０は、表示部２１０の前面に配置され、ユーザーによる接触を検知すると、その接触点の座標位置を示す信号を後述する受付部２０３等に出力する。
【００３８】
記憶部２３０は、ＨＤＤ等の大容量の記憶装置である。
【００３９】
通信部２４０は、無線ＬＡＮチップ等の通信モジュールから構成されるネットワークインターフェイスである。
【００４０】
制御ユニット２００は、ＣＰＵ、ＲＡＭ、及びＲＯＭ等から構成される。制御ユニット２００は、上記のＲＯＭ又は記憶部２３０に記憶された携帯端末装置制御プログラムが上記のＣＰＵに実行されることにより、制御部２０１、表示制御部２０２、受付部２０３、および通信制御部２０４として機能する。なお、制御ユニット２００の制御部２０１、表示制御部２０２、受付部２０３、および通信制御部２０４は、上記の携帯端末装置制御プログラムに基づく動作によらず、それぞれハード回路により構成されてもよい。
【００４１】
制御部２０１は、携帯端末装置２０の全体的な動作制御を司る。制御部２０１は、表示部２１０、タッチパネル２２０、記憶部２３０、および通信部２４０等と接続されている。制御部２０１は、接続されている上記各機構の動作制御や、各機構との間での信号又はデータの送受信を行う。
【００４２】
表示制御部２０２は、表示部２１０による表示動作を制御する機能を有する。
【００４３】
受付部２０３は、タッチパネル２２０に対するタッチ操作に基づき、表示部２１０に表示された副操作用画像に配置された副操作キーの選択を受け付ける機能を有する。
【００４４】
通信制御部２０４は、通信部２４０を制御して、画像形成装置１０とデータの送受信を行う機能を有する。
【００４５】
続いて、表示部２１０に表示される副操作用画像について説明する。図４（Ａ）および図４（Ｂ）は、表示部２１０に表示される副操作用画像の一例を示す図である。図４（Ａ）に示す副操作用画像Ｄ３には、シフトキーｄ１０、オルトキーｄ１１、半角／全角キーｄ１２、コントロールキーｄ１３、およびファンクションキーｄ１４等の主操作キーと組み合わされて操作される副操作キーが配置されている。
【００４６】
また、副操作用画像Ｄ３には、副操作キーの配置位置の変更指示を受け付けるための指示キーｄ１５、および、副操作キーの表示／非表示の切り替え指示を受け付けるための指示キーｄ１６が配置されている。受付部２０３が指示キーｄ１５の選択を受け付けると、携帯端末装置２０は、副操作用画像Ｄ３における副操作キーの配置位置の変更が受け付け可能な状態になる。ユーザーは、この状態において配置位置を変更したい副操作キーをドラッグすることで、所望の配置位置に副操作キーを移動させることができる。表示制御部２０２は、受付部２０３が受け付けた副操作キーの配置位置を変更する指示に基づき、副操作キーの配置位置が変更された副操作用画像を表示部２１０に表示させる。図４（Ｂ）に示す例では、図４（Ａ）に示す状態からコントロールキーｄ１３やファンクションキーｄ１４等の副操作キーの配置位置が変更されている。
【００４７】
また、受付部２０３が指示キーｄ１６の選択を受け付けると、携帯端末装置２０は、副操作用画像Ｄ３における副操作キーの表示／非表示の切り替えが受け付け可能な状態になる。表示制御部２０２は、受付部２０３が指示キーｄ１６の選択を受け付けると、副操作キーの表示／非表示の切り替えを受け付けるための設定画面を表示部２１０に表示させる。図５は、表示部２１０に表示される設定画面の一例を示す図である。図５に示す例では、設定画面Ｄ４に画像形成装置１０から送信された操作キー情報に示される副操作キーの一覧、および、各副操作キーの表示／非表示の切り替えを行うためのチェックボックスｄ２０、ｄ２１等が配置されている。受付部２０３は、当該設定画面に対するタッチ操作に基づき、副操作キーの表示／非表示の切り替え指示を受け付ける。表示制御部２０２は、受付部２０３が受け付けた副操作キーの表示／非表示の切り替え指示に基づき、副操作キーの表示／非表示が変更された副操作用画像を表示部２１０に表示させる。図４（Ｂ）に示す例では、図４（Ａ）に示す状態からシフトキーｄ１０や半角／全角キーｄ１２等の副操作キーが非表示とされ、バックスペースキーｄ１７等の副操作キーが新たに表示されている。
【００４８】
続いて、画像形成装置１０および携帯端末装置２０に対するタッチ操作により、受付部１０３が受け付ける指示について説明する。図６（Ａ）および図６（Ｂ）は、画像形成装置１０および携帯端末装置２０に対するタッチ操作により表示部１３０に表示される主操作用画像の一例を示す図である。図３（Ａ）に示す主操作用画像Ｄ１が表示部１３０に表示された状態で、タッチパネル１４０に対するタッチ操作により文字入力キーｄ２が選択（押下）された場合、受付部１０３は、文字入力キーｄ２に対応付けられた小文字のアルファベット文字「a」の入力指示を受け付ける。この時、表示制御部１０２は、図６（Ａ）に示すように、小文字のアルファベット文字「a」を表示部１３０の文字表示欄ｄ４に表示させる。
【００４９】
一方、タッチパネル２２０に対するタッチ操作によりシフトキーｄ１０が選択された場合、携帯端末装置２０の通信制御部２０４は、通信部２４０に、シフトキーｄ１０が選択されたことを示す操作情報を画像形成装置１０へ送信させる。画像形成装置１０の通信部１７０が当該操作情報を受信している間に、タッチパネル１４０に対するタッチ操作により文字入力キーｄ２が選択された場合、受付部１０３は、文字入力キーｄ２および操作情報に示される副操作キーであるシフトキーｄ１０の組み合わせに対応する指示を受け付ける。すなわち、受付部１０３は、文字入力キーｄ２に対応付けられたアルファベット文字「a」に対する大文字のアルファベット文字「Ａ」の入力指示を受け付ける。この時、表示制御部１０２は、図６（Ｂ）に示すように、大文字のアルファベット文字「Ａ」を表示部１３０の文字表示欄ｄ４に表示させる。
【００５０】
ここで、画像形成装置１０に搭載される表示部１３０は、一般的に小型であることが多い。この場合、主操作キーや副操作キーの大きさが小さくなり視認性や操作性が低下することを防止するために、例えば、主操作キーと副操作キーとを別の操作用画像に配置しておき、主操作キーが配置された操作用画像と副操作キーが配置された操作用画像とを切り替えて表示することが考えられる。しかしながらこの場合、副操作キーを選択（押下）しながら主操作キーを選択することで主操作キーと副操作キーとの組み合わせに対応する指示を入力する一般的な操作方法とは操作方法が大きく異なることになる。このため、ユーザーにとって違和感のある操作性になる。
【００５１】
この点、本発明によれば、副操作キーを選択しながら主操作キーを選択する一般的な操作方法と同様の方法で主操作キーと副操作キーとの組み合わせに対応する指示を入力することができ、操作性に関してユーザーに違和感を与えにくい。
【００５２】
また、主操作キーと副操作キーとを同じ操作用画像に配置した場合には、主操作キーの選択と副操作キーの選択とを同時に検出する必要があるため、表示部１３０の前面に配置するタッチパネル１４０をマルチタッチ検出可能なタッチパネルにする必要がある。マルチタッチ検出可能なタッチパネルは、シングルタッチのみを検出可能なタッチパネルと比較して製造コストが高く、その結果、画像形成装置１０の製造コストが高くなる。
【００５３】
この点、本発明によれば、タッチパネル１４０がシングルタッチのみを検出可能なタッチパネルであっても、主操作キーと副操作キーとの組み合わせに対応する指示を受け付け可能となるため、画像形成装置１０の製造コストを抑えることができる。
【００５４】
続いて、上記の構成を備える画像形成装置１０および携帯端末装置２０の動作について説明する。図７は、画像形成装置１０および携帯端末装置２０の動作の流れを示すフローチャートである。
【００５５】
まず、画像形成装置１０の動作の流れを説明する。図７に示すように、画像形成装置１０の制御部１０１は、画像形成装置１０の動作モードが、副操作キーに対する操作情報を携帯端末装置２０から受け付ける副操作キー受付モードであるか否かを判定する（ステップＳ１０）。制御部１０１は、受付部１０３がタッチパネル１４０に対するタッチ操作に基づき副操作キー受付モードに遷移すべき指示を受け付けた場合に、画像形成装置１０の動作モードを副操作キー受付モードに切り替える。
【００５６】
動作モードが副操作キー受付モードである場合（ステップＳ１０においてＹＥＳ）、通信制御部１０４は、通信部１７０に、後述するステップＳ３１の処理において携帯端末装置２０から送信された認証要求を受信させる（ステップＳ１１）。当該認証要求には、例えば、携帯端末装置２０において入力されたパスワードが含まれている。認証部１０５は、認証要求に含まれるパスワードと記憶部１６０等に予め記憶されたパスワードとが一致するか否かを判定することで、携帯端末装置２０の認証を行う（ステップＳ１２）。
【００５７】
携帯端末装置２０の認証に失敗した場合（ステップＳ１２においてＮＯ）、画像形成装置１０は、処理を終える。一方、携帯端末装置２０の認証に成功した場合（ステップＳ１２においてＹＥＳ）、通信制御部１０４は、通信部１７０に、認証成功を示す通知信号を携帯端末装置２０へ送信させる（ステップＳ１３）。また、認証部１０５が携帯端末装置２０の認証に成功すると、受付部１０３が、当該認証された携帯端末装置２０から送信された操作情報を受け付け可能な状態になる。
【００５８】
通信制御部１０４は、通信部１７０に、表示部１３０による表示対象の複数の主操作用画像のうち、ステップＳ１５の処理で表示部１３０が表示している主操作用画像に配置された主操作キーと組み合わされて操作される副操作キーの一覧を示す操作キー情報を携帯端末装置２０へ送信させる（ステップＳ１４）。なお、通信制御部１０４は、ステップＳ１４の処理後に表示部１３０が別の主操作用画像を表示した場合に、当該別の主操作用画像に配置された主操作キーと組み合わされて操作される副操作キーの一覧を示す操作キー情報を再度携帯端末装置２０へ送信させる。例えば、表示部１３０が表示する主操作用画像が、図３（Ａ）に示す主操作用画像Ｄ１から図３（Ｂ）に示す主操作用画像Ｄ２に変わった場合、通信制御部１０４は、主操作用画像Ｄ２に配置された用紙選択キーｄ５やコピー濃度キーｄ６と組み合わされて操作されるファンクションキー等の副操作キーの一覧を示す操作キー情報を、通信部１７０に携帯端末装置２０へ送信させる。
【００５９】
ステップＳ１４の処理後、表示制御部１０２は、表示部１３０に主操作用画像を表示させる（ステップＳ１５）。
【００６０】
その後、受付部１０３は、タッチパネル１４０に対するタッチ操作により主操作キーの選択を受け付けると（ステップＳ１６においてＹＥＳ）、当該選択を受け付けた主操作キーに対応する指示を受け付ける（ステップＳ１７）。
【００６１】
そして、制御部１０１や表示制御部１０２等の実行部が、ステップＳ１７で受け付けた指示を実行する（ステップＳ１８）。例えば、ステップＳ１７の指示で文字入力指示を受け付けた場合、表示制御部１０２は、表示部１３０に当該入力指示を受けた文字を表示させる。また、ステップＳ１７の指示で画像形成実行指示を受け付けた場合、制御部１０１は、画像形成部１２０等を制御して、記録紙に画像を形成させる。
【００６２】
一方、通信部１７０が、後述するステップＳ３６の処理において携帯端末装置２０から送信された操作情報を受信している間に（ステップＳ１９）、受付部１０３が、タッチパネル１４０に対するタッチ操作により主操作キーの選択を受け付けると（ステップＳ２０においてＹＥＳ）、当該選択を受け付けた主操作キーおよびステップＳ１９の処理で受信した操作情報に示される副操作キーの組み合わせに対応する指示を受け付ける（ステップＳ２１）。そして、制御部１０１や表示制御部１０２等の実行部が、ステップＳ２１で受け付けた指示を実行する（ステップＳ２２）。
【００６３】
ここで、上記のステップＳ１６およびステップＳ１７の処理を換言すると、受付部１０３は、通信部１７０が携帯端末装置２０から送信された操作情報を受信していない間において主操作キーの選択を受け付けた場合に、当該選択された主操作キーに対応する指示を受け付けている。
【００６４】
ステップＳ２２の処理後、制御部１０１は、副操作キー受付モードが終了したか否かを判定する（ステップＳ２３）。副操作キー受付モードが終了していない場合（ステップＳ２３においてＮＯ）、ステップＳ１６に戻る。一方、副操作キー受付モードが終了した場合（ステップＳ２３においてＹＥＳ）、画像形成装置１０は処理を終える。
【００６５】
続いて、携帯端末装置２０の動作の流れを説明する。図７に示すように携帯端末装置２０の制御部２０１は、携帯端末装置２０の動作モードが副操作キーの入力を行う副操作キー入力モードであるか否かを判定する（ステップＳ３０）。制御部２０１は、受付部２０３がタッチパネル２２０に対するタッチ操作に基づき副操作キー入力モードに遷移すべき指示を受け付けた場合に、携帯端末装置２０の動作モードを副操作キー入力モードに切り替える。
【００６６】
動作モードが副操作キー入力モードである場合（ステップＳ３０においてＹＥＳ）、通信制御部２０４は、通信部２４０に、携帯端末装置２０の認証に用いられるパスワード等を含む認証要求を画像形成装置１０へ送信させる（ステップＳ３１）。
【００６７】
認証要求の送信後、通信制御部２０４は、通信部２４０に、ステップＳ１３の処理において画像形成装置１０から送信された認証成功を示す通知信号を受信させる（ステップＳ３２）。
【００６８】
また、通信制御部２０４は、通信部２４０に、ステップＳ１４の処理において画像形成装置１０から送信された操作キー情報を受信させる（ステップＳ３３）。
【００６９】
ステップＳ３３の処理後、表示制御部２０２は、表示部２１０に、ステップＳ３３の処理で受信した操作キー情報に示される副操作キーが配置された副操作用画像を表示させる（ステップＳ３４）。
【００７０】
副操作用画像の表示後、受付部２０３がタッチパネル２２０に対するタッチ操作により副操作キーの選択を受け付けると（ステップＳ３５においてＹＥＳ）、通信制御部２０４は、通信部２４０に、当該副操作キーが選択されたことを示す操作情報を画像形成装置１０へ送信させる（ステップＳ３６）。
【００７１】
ステップＳ３６の処理後、制御部２０１は、副操作キー入力モードが終了したか否かを判定する（ステップＳ３７）。副操作キー入力モードが終了していない場合（ステップＳ３７においてＮＯ）、ステップＳ３５の処理に戻る。一方、副操作キー入力モードが終了した場合（ステップＳ３７においてＹＥＳ）、携帯端末装置２０は処理を終える。
【００７２】
なお、本発明は上記の実施形態の構成に限られず種々の変形が可能である。例えば、上記の実施形態では、本発明にかかる情報処理装置として画像形成装置を用いて説明しているが、これは一例に過ぎず、本発明は必ずしもこの場合に限定されない。本発明にかかる情報処理装置を、画像形成装置以外の各種産業機械に本発明を適用してもよい。
【００７３】
また、上記の実施形態や変形例で説明した情報処理装置制御プログラムや携帯端末装置制御プログラム等をコンピューター読み取り可能な非一時的な記録媒体、例えば、ハードディスク、ＣＤ−ＲＯＭ、ＤＶＤ−ＲＯＭ、半導体メモリーなどに記録されたものとしてもよい。この場合、当該情報処理装置制御プログラムや携帯端末装置制御プログラム等を記録したコンピューター読み取り可能な非一時的な記録媒体が、本発明の一実施形態となる。
【００７４】
また、図１乃至図７を用いて上記の実施形態により示した構成及び処理は、本発明の一実施形態に過ぎず、本発明を当該構成及び処理に限定する趣旨ではない。
【符号の説明】
【００７５】
１     情報処理システム
１０   画像形成装置
２０   携帯端末装置
１００ 制御ユニット（画像形成装置）
１０１ 制御部（画像形成装置）
１０２ 表示制御部（画像形成装置）
１０３ 受付部（画像形成装置）
１０４ 通信制御部（画像形成装置）
１０５ 認証部（画像形成装置）
１３０ 表示部（画像形成装置）
１４０ タッチパネル（画像形成装置）
１５０ 操作部（画像形成装置）
１６０ 記憶部（画像形成装置）
１７０ 通信部（画像形成装置）
２００ 制御ユニット（携帯端末装置）
２０１ 制御部（携帯端末装置）
２０２ 表示制御部（携帯端末装置）
２０３ 受付部（携帯端末装置）
２０４ 通信制御部（携帯端末装置）
２１０ 表示部（携帯端末装置）
２２０ タッチパネル（携帯端末装置）
２３０ 記憶部（携帯端末装置）
２４０ 通信部（携帯端末装置）
【図１】
0006269411.tif 000002
【図２】
0006269411.tif 000003
【図３】
0006269411.tif 000004
【図４】
0006269411.tif 000005
【図５】
0006269411.tif 000006
【図６】
0006269411.tif 000007
【図７】
0006269411.tif 000008